(57)【要約】      （修正有）【課題】操作が容易なキーパッド内蔵型携帯電話機用スライドヒンジモジュールを提供する。【解決手段】キーパッドが設けられた第１ボディーと、この第１ボディーの前方から左側又は右側の方向にスライド開閉され、前面に画像部が設けられた第２ボディーとを有する携帯用端末機に用いられ、第１ボディーに固定される移動プレート１００と、正面が前記第２ボディーに固定され、背面が全体的に平坦に形成され、移動プレートと共に左右方向にスライド移動可能に結合される固定プレート２００と、移動プレートが固定プレートの左側又は右側に止まるように弾性力を働かせる弾性装置３００とを備える。【選択図】図２Ａ
2010103998.tif 000002
【特許請求の範囲】
【請求項１】
キーパッドが設けられた第１ボディーと、前記第１ボディーの前方から左側又は右側方向にスライド開閉され、前面に画像部が設けられた第２ボディーとを有する携帯用端末機に用いられ、
前記第１ボディーに固定される移動プレートと、
正面が前記第２ボディーに固定され、背面が全体的に平坦に形成され、前記移動プレートと共に左右方向に沿ってスライド移動可能に結合される固定プレートと、
前記移動プレートが前記固定プレートの左側又は右側に止まるように弾性力を働かせる弾性装置とを備えることを特徴とするキーパッド内蔵型携帯電話機用スライドヒンジモジュール。
【請求項２】
前記弾性装置が二つ設けられており、二つの前記弾性装置が上下対称に配設されることを特徴とする請求項１に記載のキーパッド内蔵型携帯電話機用スライドヒンジモジュール。
【請求項３】
前記移動プレートは、前記固定プレートの背面に位置し、上下側の端部のそれぞれにはガイド部が設けられ、前記ガイド部のそれぞれには締結部が延長形成されており、
前記固定プレートには、上下側の端部のそれぞれが前記ガイド部に挿入される固定板と、前記固定板を取囲むように形成される固定フレームとが設けられ、前記固定フレームの内側縁を前記固定板の上下側端部に密着しないように構成することによって二つのガイド溝が形成され、
前記弾性装置は、前記固定板の正面に位置し、その一側が前記締結部に回動可能に結合され、その他側が前記固定板の中央部に回動可能に結合されることを特徴とする請求項２に記載のキーパッド内蔵型携帯電話機用スライドヒンジモジュール。
【請求項４】
前記固定プレートの正面に結合され、前記弾性装置を遮蔽する蓋板をさらに備えることを特徴とする請求項３に記載のキーパッド内蔵型携帯電話機用スライドヒンジモジュール。
【請求項５】
前記移動プレートは、前記固定プレートの背面に位置し、上下側の端部のそれぞれにはガイド部が設けられ、前記ガイド部のそれぞれには締結部が延長形成されており、
前記固定プレートには、上下側の端部のそれぞれが前記ガイド部に挿入される固定板と、前記固定板を取囲むように形成される固定フレームと、前記固定フレームの正面に結合する蓋板とが設けられ、前記固定フレームの内側縁を前記固定板の上下側端部に密着しないように構成することによって二つのガイド溝が形成され、
前記弾性装置は、前記固定板の正面に位置しながら前記蓋板により遮蔽されることになり、その一側が前記締結部に回動可能に結合され、その他側が前記蓋板の中央部に回動可能に結合されることを特徴とする請求項２に記載のキーパッド内蔵型携帯電話機用スライドヒンジモジュール。
【請求項６】
前記蓋板の上下側のそれぞれには、左右方向に長く形成されて前記締結部を露出させる切開溝が備えられ、
前記各切開溝の左右側の両端部には、ダンパーが設けられていることを特徴とする請求項４又は５に記載のキーパッド内蔵型携帯電話機用スライドヒンジモジュール。
【請求項７】
前記弾性装置は、互いに対向するように組み合わされた一対の弾性本体と、前記一対の弾性本体の内側に位置して前記弾性本体同士が互いに離れるように作用するばねと、前記ばねが前記弾性本体の内側に止まるように支持する支持フレームとからなり、
前記弾性本体のそれぞれは、一側にスライドバーが形成され、他側にスライド溝が形成され、互いにスライド結合するようになっていることを特徴とする請求項３乃至５のうち何れか一項に記載のキーパッド内蔵型携帯電話機用スライドヒンジモジュール。
【請求項８】
前記弾性本体のそれぞれには、前記締結部及び前記固定プレートと回動可能に結合するための固定口が設けられ、前記固定口は、前記弾性装置の全回動区間のうち前記弾性本体の最上側又は最下側に形成されることを特徴とする請求項７に記載のキーパッド内蔵型携帯電話機用スライドヒンジモジュール。
【請求項９】
前記ばねは、コイルばねからなり、前記支持フレームを中心に二分され、
前記支持フレームは、二分された前記ばねの境界をなす境界部と、前記境界部の両側から前記弾性本体のスライド方向に長く延長形成され、前記ばねに挿入されて前記ばねを支持する支持ロッドとからなることを特徴とする請求項８に記載のキーパッド内蔵型携帯電話機用スライドヒンジモジュール。
【発明の詳細な説明】
【技術分野】
【０００１】
本発明は、スライドヒンジモジュールに関するものであって、より詳細には、携帯電話機に組み付けられたスライドヒンジモジュールにおいて外部に露出される表面の形状を改善し、且つ、上下対称に弾性力が作用するように構成することによって、荷重の増加が自由に図れると共に、操作が容易なキーパッド内蔵型携帯電話機用スライドヒンジモジュールに関する。
【背景技術】
【０００２】
携帯電話機は、無線通信技術の発展に伴って多様な機能を持つことになっており、その種類は、フリップ式(flip-type)、折り畳み式(folder-type)、スライド式(slide-type)の３種類に大別できる。
【０００３】
また、最近、携帯電話機は、音声通信ばかりでなく、電子メール、インターネット接続、写真撮影、ゲームなどの多様な機能を提供しており、こうした様々な複合機能を高効率に活用するために個人用コンピュータのキーボードと同じクワーティ(QWERTY)配列のキーパッドを内蔵した携帯電話機が発売されている。
【０００４】
さらに、現在では、携帯電話機を所持していない人はないほど携帯電話機の保有率が増加しており、消費者による携帯電話機の選択に際しては、様々な機能ばかりでなく、電話機の外見デザインも重要な選択要素として作用している。
【発明の概要】
【発明が解決しようとする課題】
【０００５】
クワーティ配列のキーパッドは、その形態において縦長より横長が遥かに長く形成されている。このため、従来の上下方向にカバーをスライド移動することにより本体の数字キーパッドを開閉させる携帯電話機とは違って、左右方向にスライド移動することにより、クワーティ配列のキーパッドを開閉させるようになっている。
【０００６】
多くのキーが配列されているクワーティ配列のキーパッドを露出させるためには、携帯電話機の相当部分をスライド式により開閉させなければならない。このような携帯電話機のスライド動作を行うためにはスライド装置が必要となり、クワーティ配列のキーパッドを露出させるべくスライド移動を行った場合には、携帯電話機の背面にスライド装置の一部が露出することになる。特に、スライド装置に通常使われるガイドレール又はガイド溝などは、その相当部分が露出することになる。このため、スライド動作時において、半自動の作動を可能とさせるための弾性部材を設けるために形成された収納空間などは、美観を損なう要因となり、外観上の欠点として作用する。
【０００７】
また、カバーをスライド移動させるためにカバーの一側に外力を加えることになるが、カバーが左右にスライド移動する方向を長手方向から見ると、長さに比して相対的にカバーの幅は広いので、ヒンジ点を中心としてカバーが回転しながら歪み、損傷が発生する危険性があった。
【０００８】
様々な機能を保有した携帯電話機と映像や図等を表示する画像部のサイズ拡大に対する要求に応じて、最近の携帯電話機は、それ自体のサイズが比較的に大きくなると共に、その重量も増加している。従って、このような携帯電話機に適合なスライド装置が必要となる。
【０００９】
しかも、従来のようにバネヒンジとしてトーションバネを採用した場合には、端末機の厚さが増加し、組立と分解の作業が大変となり、更には、長期間に亘って使用すると、トーションバネの磨耗によってスライド感が低下し、ひいては使用不能となる問題が生じる。さらに、圧縮ばねを装着したバネケーシングを使用する場合には、１ピースのケース、または２ピースの上下ケースを適用し、圧縮ばねの離脱を防止することになる。このため、バネケーシングの厚み増加に起因して端末機のスリム化に制約を受けることになり、部品点数の増加により組立工数が増えるという問題点があった。
【課題を解決するための手段】
【００１０】
本発明は、前述したような問題点等を解決するために案出されたものであって、携帯電話機に組み付けられたスライドヒンジモジュールにおいて外部に露出する表面の形状を改善し、上下対称に弾性力が作用するように構成することによって、荷重の増大が自由に図れる共に、操作が容易なキーパッド内蔵型携帯電話機用スライドヒンジモジュールに関する。
【００１１】
本発明は、望ましくは、キーパッドが設けられた第１ボディーと、この第１ボディーの前方から左側又は右側の方向にスライド開閉され、前面に画像部が設けられた第２ボディーとを有する携帯用端末機に使われ、第１ボディーに固定される移動プレートと、正面が前記第２ボディーに固定され、背面が全体的に平坦に形成され、移動プレートと共に左右方向にスライド移動可能に結合される固定プレートと、移動プレートが固定プレートの左側又は右側に止まるように弾性力を働かせる弾性装置とを備えることを特徴とするキーパッド内蔵型携帯電話機用スライドヒンジモジュールを提供する。
【発明の効果】
【００１２】
前述したような本発明によれば、第一に、携帯端末機が左右方向にスライド開放される場合、スライドヒンジモジュールの露出部分が最大限に同一で均一な表面を有するように形成されるため、携帯端末機の美観を向上させることができる。
【００１３】
第二に、弾性装置が上下対称に構成されているので、携帯端末機を開閉する際に操作が容易であり、荷重の増大が自由に図れる。
【００１４】
第三に、上下に配置された弾性装置により携帯端末機を開閉するとき、均一な荷重を伝えることができ、且つ、互いに対称の関係にある２支点で支持されるので、一方に偏る現象を防止することができ、特定部位への荷重集中に起因する破損などを防止することができる。
【図面の簡単な説明】
【００１５】
【図１】本発明の一実施例のスライドヒンジモジュールが使われた 携帯電話機の分解斜視図である。
【図２Ａ】本発明の第１実施例のスライドヒンジモジュールを示す正面図である。
【図２Ｂ】本発明の第１実施例のスライドヒンジモジュールを示す背面図である。
【図３Ａ】図２Ａ及び図２Ｂに図示したスライドヒンジモジュールの分解斜視図である。
【図３Ｂ】図２Ａ及び図２Ｂに図示したスライドヒンジモジュールの分解斜視図である。
【図４Ａ】本発明の第２実施例のスライドヒンジモジュールを示す正面図である。
【図４Ｂ】本発明の第２実施例のスライドヒンジモジュールを示す背面図である。
【図５Ａ】本発明の第３実施例のスライドヒンジモジュールの分解斜視図ある。
【図５Ｂ】本発明の第３実施例のスライドヒンジモジュールの分解斜視図ある。
【図６】本発明の第１実施例乃至第３実施例の弾性装置の斜視図である。
【図７】図６に図示した弾性装置の分解斜視図である。
【図８Ａ】図２乃至図５に図示したスライドヒンジモジュールのスライド状態を示した使用状態図である。
【図８Ｂ】図２乃至図５に図示したスライドヒンジモジュールのスライド状態を示した使用状態図である。
【図８Ｃ】図２乃至図５に図示したスライドヒンジモジュールのスライド状態を示した使用状態図である。
【発明を実施するための形態】
【００１６】
図２Ａと図２Ｂは、本発明の第１実施例のスライドヒンジモジュールの正面図及び背面図である。
【００１７】
本発明の望ましい実施例のキーパッド内蔵型携帯電話機用スライドヒンジモジュール１は、キーパッドが備えられた第１ボディー６００と、前記第１ボディー６００の前方から左側又は右側方向にスライド開閉され、前面に画像部が備えられた第２ボディー７００とを有する携帯用端末機に使用され、前記第１ボディー６００に固定される移動プレート１００と、正面が前記第２ボディー７００に固定され、背面が全体的に平坦に形成され、移動プレート１００と共に左右方向にスライド可能に結合される固定プレート２００と、前記移動プレート１００が固定プレート２００の左側又は右側に止まるように弾性力を働かせる弾性装置３００とを備える。
【００１８】
本発明は、キーパッド内蔵型携帯電話機に使われるスライドヒンジモジュールに関するものである。本発明におけるキーパッド内蔵型携帯電話機は、クワーティ配列のキーパッドを備えた通常の携帯電話機のように上下方向にスライド移動するものではなく、左右方向にスライド開閉するように形成された携帯電話機のことをいう。
【００１９】
本発明を明確に説明するために、携帯電話機の画像が見られるように、即ち、前方に向けて携帯電話機を置いた状態を基準に方向を決める。
【００２０】
キーパッド内蔵型の携帯電話機は、クワーティ配列のキーパッドが備えられた前記第１ボディー６００と、画像部が備えられた前記第２ボディー７００とからなる。前記第２ボディー７００は、前記第１ボディー６００を基準に左右方向にスライド移動して開閉される。
【００２１】
前記移動プレート１００は、前記第１ボディー６００に固定結合され、前記第１ボディー６００と共にスライド移動する。前記移動プレート１００は、全体的に薄板形状に形成されている。前記移動プレート１００は、前記第１ボディー６００の前方で結合し、キーパッドの形成された部分から離間して結合される。
【００２２】
前記固定プレート２００は、前記第２ボディー７００に固定結合される部分であって、前記第２ボディー７００の背面全体に結合される。前記固定プレート２００は、その正面が前記第２ボディー７００に結合され、背面が前記移動プレート１００に結合される。前記固定プレート２００の背面は、キーパッドを露出させるためにスライド開放される時に、外部に露出することになる。
【００２３】
この場合、前記移動プレート１００は、前記第１ボディー６００に隠されているので、外部へ露出することはなく、前記固定プレート２００の背面のみが露出することになる。前記固定プレート２００は、背面全体が、後述するガイド溝２３０を除いて、突出したり陥没したりした表面を持たずに、同一平面で平らに形成されている。従って、携帯電話機の後方部においても綺麗な外観を形成することができ、美観が向上する。また、スライドヒンジモジュール１の構成を携帯電話機の内部に形成することによって、異物の侵入を防止することができ、それによる破損などを予防することができる。
【００２４】
前記弾性装置３００は、前記移動プレート１００が前記固定プレート２００と共にスライド動作する際に、半自動の作動を可能とするための構成物である。前記弾性装置３００は、前記移動プレート１００が前記固定プレート２００の左側又は右側に止まるように弾性力を提供し、デッドポイント(ｄｅａｄ  ｐｏｉｎｔ)を除いて、携帯電話機が完全に開放されたり、または完全に閉鎖された状態のみにあるように作用する。
【００２５】
本発明の望ましい実施例のキーパッド内蔵型携帯電話機用スライドヒンジモジュール１では、一対の前記弾性装置３００が上下対称に配設される。
【００２６】
一対の前記弾性装置３００は、携帯電話機の中心から左右を繋ぐ線を基準として上下対称に配設される。本発明に用いられる携帯電話機は上下方向に長く形成されているので、前記弾性装置３００を一つだけ設けた場合は、次のような問題点を誘発することになる。
【００２７】
本発明で前記弾性装置３００は、前記第１ボディー６００と前記第２ボディー７００が単純にスライド作動するのではなく、半自動の作動を可能とさせるように作用する手段である。前記弾性装置３００は、一側は前記第１ボディー６００に連結されており、他側は、前記第２ボディー７００に連結されていることから、相互弾性力が作用するようになっている。この際、前記連結される２支点は、スライド方向と同一線上に形成されることはできず、一側が他側の上側方又は下側方に位置するように設けられる。従って、前記弾性装置３００が一つだけ設けられた場合は、前記弾性装置３００から前記第１ボディー６００または第２ボディー７００に連結される部分、またはスライド作動されるように案内するガイド部分において均一な荷重が伝わるようにすることが困難であった。この場合、相互スライドされる何処かに集中的な荷重が伝えられることがあり、これは携帯電話機の破損を招く原因となる。本発明では、前記弾性装置３００を上下対称に配置形成することによって、携帯電話機のスライド開閉時に、前記弾性装置の連結部分または相互スライドされる部分に作用する荷重を上下に等しく分配することができるので、上述したような問題点を解消することができる。
【００２８】
図３Ａ及び図３Ｂは、図２に図示のスライドヒンジモジュールの分解斜視図である。
【００２９】
本発明の望ましい実施例によるキーパッド内蔵型携帯電話機用スライドヒンジモジュール１において、前記移動プレート１００は、前記固定プレート２００の背面に配置され、上下側の端部のそれぞれにはガイド部１１０が設けられている。前記ガイド部１１０のそれぞれには、締結部１２０が延長形成されている。前記固定プレート２００は、上下側の各端部が対応する前記ガイド部１１０に挿入される固定板２１０と、固定板２１０を取囲むように形成される固定フレーム２２０とを備えている。このスライドヒンジモジュール１では、前記固定フレーム２２０の内側縁が前記固定板２１０の上下側の端部には密着しないように構成されることにより、二つのガイド溝２３０が形成される。
【００３０】
前記移動プレート１００は、前記固定プレート２００の背面に位置し、前記固定プレート２００に結合される。前記移動プレート１００の上下側の各端部にはガイド部１１０が設けられ、移動プレート１００は、前記ガイド部１１０によって前記固定プレート２００に結合される。
【００３１】
本実施例では、移動プレート１００の上下側の端部から一体に折曲げ形成されたガイド部１１０の例が挙げられており、前記ガイド部１１０において前記固定板２１０の上下側端部が挿入されて当接する部分には補強部１１１が設けられる。前記補強部１１１は、前記ガイド部１１０の内側に固定結合され、スライド開閉時に、前記固定プレート２００を案内する。また、前記補強部１１１は、合成樹脂材からなり、前記移動プレート１００と前記固定板２１０の摩擦やそれに起因する磨耗を防止する。
【００３２】
前記締結部１２０は、前記ガイド部１１０の端部から一体に延長形成され、前記弾性装置３００と回動可能に結合され、前記移動プレート１００と前記弾性装置３００を連結する。
【００３３】
前記固定板２１０は、実質的に前記移動プレート１００と連結される部分であり、前記固定プレート２００の中央部を占める。前記固定板２１０の上下側の端部は、前記補強部１１１が形成されている前記ガイド部１１０に挿入され、前記移動プレート１００と結合することになる。前記固定板２１０は、前記移動プレート１００がスライド方向以外の方向に離隔することがないように前記移動プレート１００の大きさに合わせて形成される。前記固定板２１０は、勿論のこと、左右側に均一な高さを有するように形成される。
【００３４】
前記固定フレーム２２０は、前記固定板２１０と結合し、前記固定プレート２００を構成する。前記固定フレーム２２０は、前記固定板２１０を取囲むように形成されており、前記固定板２１０の左右側には密着するように形成されが、前記固定板２１０の上下側には密着しないように形成される。そのことから、前記固定プレート２００には前記ガイド溝２３０が形成され、前記ガイド部１１０が前記固定板２１０に結合され、前記ガイド溝２３０に沿って左右側にスライド移動することができる。
【００３５】
前記ガイド溝２３０は、前記ガイド部１１０の補強部１１１の高さを考慮し、スライド移動に妨害とならない程度のサイズに形成され、できるだけ狭く形成される。
【００３６】
本実施例において、前記弾性装置３００は、前記固定板２１０の正面に位置し、一側が前記締結部１２０に回動可能に結合されており、他側は前記固定板２１０の中央部に回動可能に結合される。
【００３７】
前記弾性装置３００は、前記固定板２１０の正面に位置する。
【００３８】
前記弾性装置３００は、前記第１ボディー６００と前記第２ボディー７００が単純にスライド動作するのではなく、相互半自動の作動を可能とするための手段であって、前記第１ボディー６００と前記第２ボディー７００とに連結されなければならない。通常は、スライドヒンジモジュール１の構造を単純化するために、前記弾性装置３００に相当する構成は前記固定プレート２００に相当する構成の背面に位置させるが、この場合には、前記弾性装置３００が作動するための空間が必要となる。前記弾性装置３００が前記固定板２１０の背面に位置すると、前記第１ボディー６００と前記第２ボディー７００は密着状態でスライド作動することになるので、前記固定プレート２００の背面に前記弾性装置３００が作動するための陥没部を形成しなければならない。このように形成された陥没部は、携帯電話機がスライド開放され、前記固定プレート２００の背面が露出されると、やはり現れる部分である。そして、このような陥没部が露出すると、携帯電話機の綺麗な外観を期待することが難しく、しかも粗雑なものに見られ得る。また、陥没部が設けられた隙間を介して外部から異物が侵入しやすくなるので、携帯電話機の故障を引き起こすこともある。
【００３９】
本発明による前記弾性装置３００は、前記固定板２１０の正面に配置されているため、上述した問題点を前もって防ぐことができる。
【００４０】
前記弾性装置３００は、一側が前記締結部１２０に、他側が前記固定板２１０に結合される。一方の前記弾性装置３００は、前記移動プレート１００の上側に形成された締結部１２０に一側が結合され、他方の前記弾性装置３００は、前記移動プレート１００の下側に形成された締結部１２０に一側が結合される。また、前者の他側は、前記固定板２１０の中央部からやや上方に結合され、後者の他側は、前記固定板２１０の中央部からやや下方に結合される。前記弾性装置３００は、前記移動プレート１００を前記固定プレート２００を基準として左側又は右側に止まるように外力を作用し、弾性変形される構成なので、それにより前記第１ボディー６００と前記第２ボディー７００は相互に半自動作動可能にスライド移動する。
【００４１】
図４Ａ及び図４Ｂは、本発明の第２実施例のスライドヒンジモジュールの正面図及び背面図である。
【００４２】
本実施例では、前述した第１実施例において前記固定プレート２００の正面に結合され、前記弾性装置３００を遮蔽する蓋板４００をさらに包含する。
【００４３】
また、前記蓋板４００の上下側のそれぞれには左右方向に長く形成され、前記締結部１２０を露出させるための切開溝４１０が設けられ、それぞれの前記切開溝４１０の左右側の端部には、ダンパー５００が結合される。
【００４４】
前記蓋板４００は、前記固定プレート２００の正面に位置し、前記弾性装置３００をカバーする。前記蓋板４００は、前記固定プレート２００に固定結合され、前記第２ボディー７００と前記弾性装置３００を分離する。前記蓋板４００は、周縁に沿って端部は前記固定プレート２００と結合され、中央部には前記弾性装置３００の作動を妨害しないように空間を設けなければならないので、多少屈曲して形成される。
【００４５】
前記蓋板４００の上側及び下側には、前記移動プレート１００の上下側端部を形成する前記締結部１２０のスライディングを確認できる前記切開溝４１０が形成されており、前記切開溝４１０の左右側端部には、前記締結部１２０の移動を支持するダンパー５００が固定結合される。前記切開溝４１０と前記ダンパー５００により前記移動プレート１００が前記固定プレート２００に対して相対的に左右側にスライド移動する区間が決められる。これは、本発明が適用される携帯電話機のサイズに合わせられて形成される。前記ダンパー５００は、前記移動プレート１００の進行を単純に阻止することだけでなく、前記移動プレート１００のスライド移動に起因して生じる衝撃を吸収することができるように形成される。前記移動プレート１００は、スライド作動時、前記弾性装置３００により加速されるので、前記固定プレート２００の左右側に停止するときに比較的大きい衝撃が発生することがあるが、前記ダンパー５００は、その衝撃を緩和することができる。それゆえ、前記ダンパー５００は、ゴム、ウレタンのように衝撃を吸収することができる材料によって形成される。
【００４６】
図５Ａ及び図５Ｂは、本発明の第３実施例によるスライドヒンジモジュールを示した分解斜視図である。
【００４７】
本実施例は、弾性装置３００の一側が前記締結部１２０に回動可能に結合されるという点では、第１及び第２実施例と同様であるが、弾性装置３００の他側が前記蓋板４００に回動可能に結合されるという点で第１及び第２実施例と相違している。
【００４８】
具体的に、本実施例において、弾性装置３００は、その一側が前記締結部１２０に、他側が前記蓋板４００にそれぞれ結合される。前記弾性装置３００は、第１及び第２実施例と同じく一対から構成されている。一方の弾性装置３００は、前記移動プレート１００の上側に形成された締結部１２０に一側が結合され、他方の弾性装置３００は、前記移動プレート１００の下側に形成された締結部１２０に一側が結合される。さらに、前者の他側は、前記蓋板４００の中央部からやや上方の位置に結合され、後者の他側は、前記蓋板４００の中央部からやや下方の位置に結合される。
【００４９】
弾性装置３００の他側は、図５Ｂに示したように、リベッド１０などの固定部材を介して蓋板４００に取り付けられることができる。
【００５０】
本実施例において、このような固定板２１０を用いない構造、即ち蓋板４００に弾性装置３００が結合される構造にしたのは、携帯電話機の美観向上のためであり、具体的な内容は、次のとおりである。
【００５１】
第１及び第２実施例では、弾性装置３００の他側が固定板２１０に結合しており、この場合、後述する固定口３１３(図６及び図を７参照)を通じてリベット１０(図３Ｂ参照)などの固定部材を用いて結合することができる。この際、肉薄の固定板２１０には、固定部材による結合のために結合孔２１２(図３Ｂ参照)を貫通形成することが必要不可欠となる。そして、この結合孔２１２を通じて固定部材が結合された場合には、固定板２１０の背面に固定部材の端部が露出する。
【００５２】
この場合、第２ボディー７００を第１ボディー６００に対してスライド移動させ、第２ボディー７００の背面に固定プレート２００の背面（具体的には、固定板２１０の背面）が露出すると前述した結合孔２１２及び固定部材の端部が共に露出するので、携帯電話機の外観を損なうことがある。
【００５３】
それに対し、本実施例のように、弾性装置３００の他側が固定板２１０ではなく蓋板４００に結合（具体的には、蓋板４００に形成の結合孔４１０を介してリベット１０により結合）するように構成すれば、第１及び第２実施例のように固定板２１０に結合孔２１２を形成する必要がなくなる。そして、それによって、固定板２１０の露出される背面が滑らかな面をなすことになるので、スライド作動の際に美観向上に役立つ。
【００５４】
一方、本実施例では、図５Ｂに示したように、第１及び第２実施例で説明されたガイド部１１０の他の例が提示される。
【００５５】
本実施例のガイド部１１０は、移動プレート１００の上下側の端部から一体に折曲げ形成されるのではなく、移動プレート１００の上下側の端部に合成樹脂製のガイド本体１１２が結合することによって形成される。ガイド本体１１２には、内側に固定板２１０の上下側端部が挿入されたままスライド移動することができる溝１１２ａが形成されている。そして、締結部１２０は、ガイド本体１１２の上側に結合され、ガイド本体１１２から延長形成される。
【００５６】
このように、ガイド部１１０がプラスチック材質のガイド本体１１２との組合せにより形成されることにより、ガイド部１１０の摩擦による騒音発生を最小限に抑えることはもちろん、スライディング感をより向上させることができる。
【００５７】
図６は、本発明の第１実施例乃至第３実施例の弾性装置の斜視図である。
【００５８】
本発明の望ましい実施例によるキーパッド内蔵型携帯電話機用スライドヒンジモジュール１において、前記弾性装置３００は、互いに対向するように結合された一対の弾性本体３１０と、前記一対の弾性本体３１０の内側に位置し、前記一対の弾性本体３１０同士が互いに離間するように作用するばね３２０と、前記ばね３２０が前記弾性本体３１０の内側に止まるように支持する支持フレーム３３０とからなり、前記弾性本体３１０のそれぞれは、一側にスライドバー３１１が形成され、他側にスライド溝３１２が形成されており、互いにスライド結合される。
【００５９】
また、前記弾性本体３１０のそれぞれには、前記締結部１２０及び前記固定プレート２００（第１及び第２実施例では固定板２１０がこれに該当し、第３実施例では蓋板４００がこれに該当する）と結合されるための固定口３１３が設けられている。この固定口３１３は、前記弾性装置３００の全回動区間のうち前記弾性本体３１０の最上側又は最下側に形成される。
【００６０】
前記弾性本体３１０は二つの部分に分けられて構成されており、相互結合して前記弾性本体３１０を構成する。前記弾性本体３１０のうち一つは、一側に前記スライドバー３１１が形成され、他側に前記スライド溝３１２が形成されている。また、他の一つの弾性本体３１０にも、前記スライドバー３１１と前記スライド溝３１２が対応して形成されている。つまり、前記一つの弾性本体３１０が他の一つの弾性本体３１０とスライド結合するように前記スライドバー３１１及びスライド溝３１２が互いに対応付けられるように形成されている。
【００６１】
前記弾性本体３１０がスライド移動すると、前記弾性装置３００の全長が変化する。前記弾性本体３１０は、両側で一対の前記スライドバー３１１及びスライド溝が互いに支持されながら作動するので、より安定的にスライド移動することができる。前記弾性装置３００には、前記弾性装置３００のスライド方向以外に携帯電話機のスライド方向へも外力が作用し、こうした外力が持続的に作用すると、前記弾性本体３００に無理が与えられる。本発明では、こうした問題点を勘案し、ガイドされる部分を前記弾性本体３１０の両側に備えるように構成したため、さらに安定的な動作を期待することができる。さらに、前記弾性装置３００を二つ備えることによって、与えられた荷重をより効果的に分散させることができる。
【００６２】
前記ばね３２０は、一対の前記弾性本体３１０の内側に位置し、前記弾性本体３１０を外側方向に押し出す役割を奏する。
【００６３】
前記支持フレーム３３０は、前記ばね３２０を支持し、前記ばね３２０が前記弾性本体３１０の外部に離脱することを防止する。
【００６４】
前記弾性本体３１０には、前記締結部１２０及び前記固定プレート２００（第１及び第２実施例では固定板２１０がこれに該当し、第３実施例では蓋板４００がこれに該当する）と結合することができるように前記固定口３１３が形成されている。それぞれの前記弾性本体３１０には前記固定口３１３が一つずつ設けられており、一方の前記弾性本体３１０が前記締結部１２０に結合され、他方の前記弾性本体３１０が前記固定板２１０（第１及び第２実施例の場合）または前記蓋板４００（第３実施例の場合）に結合される。
【００６５】
前記固定口３１３は、前記弾性装置３００が前記締結部１２０及び前記固定プレート２００（第１及び第２実施例では固定板２１０がこれに該当し、第３実施例では蓋板４００がこれに該当する）と結合して回動する全区間において前記弾性本体３１０の最上側又は最下側に形成される。つまり、前記弾性本体３１０の長手方向の両側端部がある程度尖って形成されたり、或いは全体的に斜方形に形成され、前記弾性本体３１０の長手方向の両側端部に前記固定口３１３が形成される。前記弾性装置３００の直上には前記締結部１２０及びガイド部１１０が形成され、前記弾性装置３００の直下には貫通孔２１１、４２０が形成される。前記貫通孔２１１、４２０は、前記第１ボディー６００と第２ボディー７００をつなげるケーブルなどが貫通するための通路であり、これらは必須構成要素である。前記弾性装置３００が回動しながら前記ガイド部１１０又は前記貫通孔２１１、４２０を通るケーブルなどと干渉が生じると、携帯電話機がスライドし難くなる。そこで、前記固定口３１３をいつも前記弾性装置３００の最上側又は最下側に位置するように構成すれば、上記問題点等を防止することができる。
【００６６】
図７は、本発明の図６に図示の弾性装置の分解斜視図である。
【００６７】
本発明の望ましい実施例によるキーパッド内蔵型携帯電話機用スライドヒンジモジュール１において、前記ばね３２０は、コイルばね３２０であり、前記支持フレーム３３０を中心として二分されている。前記支持フレーム３３０は、二分された前記ばね３２０の境界をなす境界部３３１と、前記境界部３３１の両側から前記弾性本体３１０のスライド方向に長く延長形成され、前記ばね３２０に挿入されて前記ばね３２０を支持する支持ロッド３３２とからなる。
【００６８】
前記ばね３２０は、コイルばね３２０からなり、望ましくは複数個からなり、前記弾性本体３１０の内部に位置する。コイルばね３２０は弾性復元力が極めて優れており、前記弾性装置３００に弾性力を提供するのに好適である。前記コイルばね３２０は、前記弾性本体３１０の厚さより厚くならないように約１〜２ｍｍ程度のサイズに形成される。前記ばね３２０は前記弾性本体３１０のように二分され、前記支持フレーム３３０により前記弾性本体３１０に連結される。
【００６９】
前記支持フレーム３３０は、中央に前記境界部３３１を備えており、前記境界部３３１の両側から前記ばね３２０に挿入される前記支持ロッド３３２が形成される。前記支持ロッド３３２は、前記ばね３２０が離脱することを防ぐ役割を奏し、その端部が前記弾性本体３１０の挿入孔３１４に挿入される。前記挿入孔３１４は、前記弾性本体３１０を貫通して形成されている。前記ばね３２０が圧縮された状態では、前記支持ロッド３３２の端部の一部が前記弾性本体３１０の外に突出することになる。
【００７０】
図８Ａ、図８Ｂ、及び図８Ｃには、図２乃至図５に図示のスライドヒンジモジュールの移動プレート１００がガイド溝２３０に沿って固定板２１０の一側から他側にスライド移動する様態が示されている。
【符号の説明】
【００７１】
１    スライドヒンジモジュール
１００    移動プレート
１１０    ガイド部
１１１    補強部
１１２    ガイド本体
１２０    締結部
２００    固定プレート
２１０    固定板
２１１    貫通孔
２１２    結合孔
２２０    固定フレーム
２３０    ガイド溝
３００    弾性装置
３１０    弾性本体
３１１    スライドバー
３１２    スライド溝
３１３    固定口
３１４    挿入孔
３２０    ばね
３３０    支持フレーム
３３１    境界部
３３２    支持ロッド
４００    蓋板
４０１    結合孔
４１０    切開溝
４２０    貫通孔
５００    ダンパー
６００    第１ボディー
７００    第２ボディー
【図１】
2010103998.tif 000003
【図２Ａ】
2010103998.tif 000004
【図２Ｂ】
2010103998.tif 000005
【図３Ａ】
2010103998.tif 000006
【図３Ｂ】
2010103998.tif 000007
【図４Ａ】
2010103998.tif 000008
【図４Ｂ】
2010103998.tif 000009
【図５Ａ】
2010103998.tif 000010
【図５Ｂ】
2010103998.tif 000011
【図６】
2010103998.tif 000012
【図７】
2010103998.tif 000013
【図８Ａ】
2010103998.tif 000014
【図８Ｂ】
2010103998.tif 000015
【図８Ｃ】
2010103998.tif 000016